(57)【特許請求の範囲】
【請求項１】
手振り及び卓上据置兼用の小型脱臭器であって、
第１主面及び第２主面を有する平板状の脱臭部と、
前記脱臭部の前記第１主面の一部及び前記第２主面の一部を挟み込む本体部と、
前記本体部から延伸する棒状の持ち手と、を備え、
前記本体部は、前記第１主面の前記一部に当接する第１本体部、及び前記第２主面の前記一部に当接する第２本体部を有し、
前記本体部における前記第１本体部側又は前記第２本体部側の少なくともいずれかは、前記脱臭部に当接する側とは反対側の面において、前記脱臭部の位置から前記本体部の端部まで繋がる凹部を有していることを特徴とする小型脱臭器。
【請求項２】
前記凹部は、側面視で円弧状を有していることを特徴とする請求項１に記載の小型脱臭器。
【請求項３】
手で持って振ることで空気を脱臭する手振り脱臭方法であって、
第１主面及び第２主面を有する板状の脱臭部と、前記脱臭部の前記第１主面の一部及び前記第２主面の一部を挟み込む本体部と、前記本体部から延伸する棒状の持ち手と、を備え、前記本体部は、前記第１主面の前記一部に当接する第１本体部、及び前記第２主面の前記一部に当接する第２本体部を有し、前記第１本体部及び前記第２本体部の少なくともいずれかは、前記脱臭部に当接する側とは反対側の面において、前記脱臭部の位置から前記本体部の端部まで繋がる凹部を有していることを特徴とする小型脱臭器を準備し、
前記持ち手を手で持って振ることで前記脱臭部が臭気を吸着して脱臭する手振り脱臭方法。
【請求項４】
卓上に置いて空気を脱臭する卓上脱臭方法であって、
第１主面及び第２主面を有する板状の脱臭部と、前記脱臭部の前記第１主面の一部及び前記第２主面の一部を挟み込む本体部と、前記本体部から延伸する棒状の持ち手と、を備え、前記本体部は、前記第１主面の前記一部に当接する第１本体部、及び前記第２主面の前記一部に当接する第２本体部を有し、前記第１本体部及び前記第２本体部の少なくともいずれかは、前記脱臭部に当接する側とは反対側の面において、前記脱臭部の位置から前記本体部の端部まで繋がる凹部を有していることを特徴とする小型脱臭器を準備し、
前記凹部を有する前記第１本体部側又は前記第２本体部側を下にして平坦な場所に置き、
当該小型脱臭器の上に小型扇風機を置いて稼働させて、空気を吸引して脱臭することを特徴とする卓上脱臭方法。
【発明の詳細な説明】
【技術分野】
【０００１】
本発明は、手軽に持ち運んで手で持って振ることで、また卓上に据え置くことで脱臭できる小型脱臭器、手振り脱臭方法、及び卓上据置脱臭方法に関するものである。
【背景技術】
【０００２】
日常生活において、食べ物の匂い、犬や猫など動物の匂い、又は汗の匂い等の嫌な臭気に遭遇する場合がある。
【０００３】
特許文献１には、板状のフィルタに吸引ファンから空気を送って脱臭する空気清浄機が記載されている。
【先行技術文献】
【特許文献】
【０００４】
特許文献１：特開２０１４−２３３４５９号公報
【発明の概要】
【発明が解決しようとする課題】
【０００５】
しかしながら、特許文献１に記載のものは、吸引ファンを駆動するための電源が必要になるとともに、大きくて持ち運びに適さないという問題があった。
【０００６】
本発明は、上記問題点を解決して、電源を必要とせず手軽に持ち運んで手で持って振ることで、また卓上に置きその上に小型扇風機を重ねて置くことで脱臭できる小型脱臭器を実現することを課題とする。
【課題を解決するための手段】
【０００７】
上記課題を解決するために本発明は、手振り及び卓上据置兼用の小型脱臭器であって、
第１主面及び第２主面を有する板状の脱臭部と、
前記脱臭部の前記第１主面の一部及び前記第２主面の一部を挟み込む本体部と、
前記本体部から延伸する棒状の持ち手と、を備え、
前記本体部は、前記第１主面の前記一部に当接する第１本体部、及び前記第２主面の前記一部に当接する第２本体部を有し、
前記本体部における前記第１本体部側又は前記第２本体部側の少なくともいずれかは、前記脱臭部に当接する側とは反対側の面において、前記脱臭部の位置から前記本体部の端部まで繋がる凹部を有していることを特徴とする小型脱臭器を提供するものである。
【０００８】
この構成により、電源を必要とせず手軽に持ち運んで手で持って振ることで、また卓上に置いた当該小型脱臭器の上に小型扇風機を重ねて置くことで空気を上から下へ、又は、下から上へ吸引して脱臭することができる小型脱臭器を実現することができる。
【０００９】
小型脱臭器であって、前記凹部は、側面視で円弧状を有している構成としてもよい。
【００１０】
この構成により、優れたデザインを有するとともに、円弧状の凹部から空気を吸引又は排気して脱臭することができる。
【００１１】
また、上記課題を解決するために本発明は、手で持って振ることで空気を脱臭する手振り脱臭方法であって、
第１主面及び第２主面を有する板状の脱臭部と、前記脱臭部の前記第１主面の一部及び前記第２主面の一部を挟み込む本体部と、前記本体部から延伸する棒状の持ち手と、を備え、前記本体部は、前記第１主面の前記一部に当接する第１本体部、及び前記第２主面の前記一部に当接する第２本体部を有し、前記本体部における前記第１本体部側又は前記第２本体部側の少なくともいずれかは、前記脱臭部に当接する側とは反対側の面において、前記脱臭部の位置から前記本体部の端部まで繋がる凹部を有していることを特徴とする小型脱臭器を準備し、
前記持ち手を手で持って振ることで前記脱臭部が臭気を吸着して脱臭する手振り脱臭方法を提供するものである。
【００１２】
この構成により、電源を必要とせず手軽に持ち運んで手で持って振ることで、空気中の臭気を吸着して脱臭することができる。
【００１３】
さらに、上記課題を解決するために本発明は、卓上に置いて空気を脱臭する卓上脱臭方法であって、
第１主面及び第２主面を有する板状の脱臭部と、前記脱臭部の前記第１主面の一部及び前記第２主面の一部を挟み込む本体部と、前記本体部から延伸する棒状の持ち手と、を備え、前記本体部は、前記第１主面の前記一部に当接する第１本体部、及び前記第２主面の前記一部に当接する第２本体部を有し、前記本体部における前記第１本体部側又は前記第２本体部側の少なくともいずれかは、前記脱臭部に当接する側とは反対側の面において、前記脱臭部の位置から前記本体部の端部まで繋がる凹部を有していることを特徴とする小型脱臭器を準備し、
前記凹部を有する前記第１本体部側又は前記第２本体部側を下にして平坦な場所に置き、
当該小型脱臭器の上に小型扇風機を置いて稼働させ、空気を吸引して脱臭することを特徴とする卓上脱臭方法を提供するものである。
【００１４】
この構成により、卓上に置いた当該小型脱臭器の上に小型扇風機を重ねて置くことで空気を上から下へ、又は、下から上へ吸引して脱臭することができる
【発明の効果】
【００１５】
本発明の小型脱臭器、手振り脱臭方法、及び卓上据置脱臭方法により、電源を必要とせず手軽に持ち運んで手で持って振ることで、また卓上に置きその上に小型扇風機を重ねて置くことで脱臭することができる。
【図面の簡単な説明】
【００１６】
【図１】本発明の実施例１における小型脱臭器の斜視図である。
【図２】本発明の実施例１における小型脱臭器の（ａ）正面部、（ｂ）右側面図、（ｃ）背面図である。
【図３】本発明の実施例１における小型脱臭器の（ａ）上面図、（ｂ）底面図である。
【図４】本発明の実施例１における小型脱臭器の図２に示すＡ−Ａ断面図である。
【図５】本発明の実施例１における小型脱臭器の分解図である。
【図６】本発明の実施例１における小型脱臭器における凹部を説明する図である。
【図７】本発明の実施例２における小型脱臭器の上に小型扇風機を配置した図である。
【発明を実施するための形態】
【実施例１】
【００１７】
本発明の実施例１について、図１〜図６を参照して説明する。図１は、本発明の実施例１における小型脱臭器の斜視図である。図２は、本発明の実施例１における小型脱臭器の（ａ）正面部、（ｂ）右側面図、（ｃ）背面図である。図３は、本発明の実施例１における小型脱臭器の（ａ）上面図、（ｂ）底面図である。図４は、本発明の実施例１における小型脱臭器の図２に示すＡ−Ａ断面図である。図５は、本発明の実施例１における小型脱臭器の分解図である。図６は、本発明の実施例１における小型脱臭器における凹部を説明する図である。
【００１８】
（小型脱臭器）
実施例１における小型脱臭器１００は、略正方形の平板状からなる脱臭部１０の第１主面１１の周縁部と第２主面１２の周縁部とを本体部２０が挟み込んでいる。脱臭部１０は、約８０ｍｍ×８０ｍｍの略正方形の平板状を有し、カーボンを主成分とし、ハニカム構造を有している。この脱臭部１０の第１主面１１又は第２主面から臭気を含んだ空気を通過させることにより、臭気をカーボンに吸着させて、脱臭することができる。そして、吸着した臭気は太陽光に当てることで、吸着を解除され、再利用することが可能である。また、後述のように、脱臭部１０は着脱自在に本体部２０に保持されているので、劣化等した場合に交換が容易である。
【００１９】
本体部２０は、脱臭部１０の第１主面１１の周縁部に当接する第１本体部２１、脱臭部１０の第２主面１２の周縁部に当接する第２本体部２２、外周をカバーしている外周カバー２３を組み立てることで構成している。そして、第１本体部２１と第２本体部２２とで脱臭部１０の周縁部を挟み込むことができる。第１本体部２１、第２本体部２２、及び外周カバー２３は、いずれも合成樹脂で構成され、本体部２０の大きさは約１５５ｍｍ×１５５ｍｍの丸みを帯びた略四角形状を有している。また、本体部２０における側面形状は、脱臭部１０とは反対側端面において略円弧形状を有して両端部の厚さが大きく、中央部の厚さは小さい。側面における最大厚さは、先端部（後述の持ち手３０の反対側端部）において約８０ｍｍである。
【００２０】
本体部２０の側面における第１本体部２１側及び第２本体部２２側がそれぞれ略円弧形状を有して両端部の厚さが大きく、中央部の厚さは小さいことで、第１本体部２１側又は第２本体部２２側のいずれかを下にして机等の平坦面に置くと平坦面と略円弧状との間に隙間ができる。この略円弧状の隙間は脱臭部１０の主面（第１主面１１又は第２主面１２）までつながっており、空気が通過することができる。これにより、後述のように、平坦面に置かれた小型脱臭器１００の上から下、又は下から上に空気が通過することで臭気を吸着して脱臭することができる。
【００２１】
ここで、「主面」とは、物の主たる面をいう。本願においては、平板状の脱臭部１０の主面であるから、表面又は裏面である（特許技術用語集（日刊工業新聞社）参照）。
【００２２】
また、第１本体部２１には、後述する小型扇風機Ｆを紐Ｂで括り付けるときに紐Ｂを係止する第１本体部側紐係止部２５（２５ａ、２５ｂ、２５ｃ、２５ｄ）を４つの角部に有している。また、第２本体部２２には、小型扇風機Ｆを紐Ｂで括り付けるときに紐Ｂを係止する第２本体部側紐係止部２６（２６ａ、２６ｂ、２６ｃ、２６ｄ）を４つの角部に有している。
【００２３】
なお、実施例１においては、本体部２０における第１本体部２１側及び第２本体部２２側のそれぞれが略円弧形状を有して両端部の厚さが大きく、中央部の厚さは小さい構成としたが、必ずしもこれに限定されず適宜変更が可能である。例えば、少なくとも第１本体部２１側又は第２本体部２２側のいずれかの端面が円弧状を有していればよく、また、円弧状ではなく四角状や楕円状であってもよく、本体部２０における第１本体部２１側又は第２本体部２２側の少なくともいずれかが脱臭部１０を挟み込む側とは反対側の面において、脱臭部１０の位置から端部まで繋がる凹部２４（図６参照）を有していればよく、小型脱臭器１００を平坦な卓上に置いたときに、空気が脱臭部１０を通過可能に凹部２４が形成されていればよい。
【００２４】
さらに、実施例１においては、脱臭部１０の第１主面１１の周縁部と第２主面１２の周縁部とを本体部２０が挟み込む構成としたが、必ずしもこれに限定されず適宜変更が可能である。例えば、脱臭部１０の第１主面１１の角部と第２主面１２の角部とを本体部２０が挟み込む構成としてもよく、少なくとも脱臭部１０の第１主面１１の一部と第２主面１２の一部とを本体部２０が挟み込む構成とすればよい。
【００２５】
すなわち、小型脱臭器１００においては、脱臭部１０の第１主面１１の一部に第１本体部１１が位置し、第２主面１２の一部に第２本体部１２が位置して、第１本体部１１と第２本体部１２が脱臭部１０の一部を挟み込んで、ねじ止めして固定されている。
【００２６】
また、本体部２０から棒状の持ち手３０が延伸している。詳しくは、持ち手３０の一方の端部を外周カバー２３の挿入孔に挿入し、第１本体部２１と第２本体部２２で挟み込んでねじ止めして固定している。これにより、本体部２０から延伸した持ち手３０を手で掴むことができ、手で小型脱臭部１００を振ることで空気が脱臭部１０を通過して臭気を吸着し脱臭することができる。
【００２７】
（手振り脱臭方法）
実施例１における小型脱臭器１００による手振り脱臭方法について説明する。まず、上述の小型脱臭器１００を準備する。そして、持ち手３０を手で持って振る。そうすると、空気が脱臭部１０を通過することで臭気が吸着される。これにより、周辺の臭気が脱臭される。振る方向はどの方向でもよく、臭気がある空気が脱臭部１０を通過するように振ればよい。
【００２８】
また、第１本体部２１側又は第２本体部２２側に小型扇風機を取付けることで、より効率よく空気が脱臭部１０を通過させることができる。
【００２９】
このように、実施例１においては、手振り及び卓上据置兼用の小型脱臭器であって、
第１主面及び第２主面を有する平板状の脱臭部と、
前記脱臭部の前記第１主面の一部及び前記第２主面の一部を挟み込む本体部と、
前記本体部から延伸する棒状の持ち手と、を備え、
前記本体部は、前記第１主面の前記一部に当接する第１本体部、及び前記第２主面の前記一部に当接する第２本体部を有し、
前記本体部における前記第１本体部側又は前記第２本体部側の少なくともいずれかは、前記脱臭部に当接する側とは反対側の面において、前記脱臭部の位置から前記本体部の端部まで繋がる凹部を有していることを特徴とする小型脱臭器により、電源を必要とせず手軽に持ち運んで手で持って振ることで、脱臭することができる。
【００３０】
また、実施例１においては、手で持って振ることで空気を脱臭する手振り脱臭方法であって、
第１主面及び第２主面を有する平板状の脱臭部と、前記脱臭部の前記第１主面の一部及び前記第２主面の一部を挟み込む本体部と、前記本体部から延伸する棒状の持ち手と、を備え、前記本体部は、前記第１主面の前記一部に当接する第１本体部、及び前記第２主面の前記一部に当接する第２本体部を有し、前記本体部における前記第１本体部側又は前記第２本体部側の少なくともいずれかは、前記脱臭部に当接する側とは反対側の面において、前記脱臭部の位置から前記本体部の端部まで繋がる凹部を有していることを特徴とする小型脱臭器を準備し、
前記持ち手を手で持って振ることで前記脱臭部が臭気を吸着して脱臭する手振り脱臭方法により、電源を必要とせず手軽に持ち運んで手で持って振ることで、脱臭することができる。
【実施例２】
【００３１】
本発明の実施例２は、小型脱臭器１００を卓上に据置いて脱臭する点で実施例１と異なっている。図７を参照して、実施例２について説明する。
【００３２】
（卓上脱臭方法）
実施例２における卓上脱臭方法は、上述の小型脱臭器１００を準備する。次に、脱臭部１０の位置から端部まで繋がる凹部を有する第１本体部２１又は第２本体部２２を下にして平坦な卓上Ｄに置く。
【００３３】
次に、図７に示すように、小型扇風機Ｆを小型脱臭器１００の上に位置している第１本体部２１又は第２本体部２２の上におく。そして、小型扇風機Ｆのスイッチを入れて稼働させる。そうすると、小型扇風機Ｆにより、空気を上から下へ吸引、又は下から上へ吸引して脱臭部１０を通過させる。これにより、臭気が脱臭部１０に吸着され脱臭される。空気が上から下の方向に吸引させるか、下から上の方向に吸引させるかは、小型扇風機Ｆの置く向きによって選択することができる。
【００３４】
小型扇風機Ｆを小型脱臭器１００の上に置くときに、図７に示すように、紐Ｂを第１本体部側紐係止部２５（２５ａ、２５ｂ、２５ｃ、２５ｄ）又は第２本体部側紐係止部２６（２６ａ、２６ｂ、２６ｃ、２６ｄ）に引っ掛けて小型扇風機Ｆと小型脱臭器１００とを紐Ｂで固定してもよい。
【００３５】
このように、実施例２においては、手振り及び卓上据置兼用の小型脱臭器であって、
第１主面及び第２主面を有する平板状の脱臭部と、
前記脱臭部の前記第１主面の一部及び前記第２主面の一部を挟み込む本体部と、
前記本体部から延伸する棒状の持ち手と、を備え、
前記本体部は、前記第１主面の前記一部に当接する第１本体部、及び前記第２主面の前記一部に当接する第２本体部を有し、
前記本体部における前記第１本体部側又は前記第２本体部側の少なくともいずれかは、前記脱臭部に当接する側とは反対側の面において、前記脱臭部の位置から前記本体部の端部まで繋がる凹部を有していることを特徴とする小型脱臭器により、卓上に置きその上に小型扇風機を重ねて置くことで脱臭できる。
【００３６】
また、実施例２においては、卓上に置いて空気を脱臭する卓上脱臭方法であって、
第１主面及び第２主面を有する板状の脱臭部と、前記脱臭部の前記第１主面の一部及び前記第２主面の一部を挟み込む本体部と、前記本体部から延伸する棒状の持ち手と、を備え、前記本体部は、前記第１主面の前記一部に当接する第１本体部、及び前記第２主面の前記一部に当接する第２本体部を有し、前記本体部における前記第１本体部側又は前記第２本体部側の少なくともいずれかは、前記脱臭部に当接する側とは反対側の面において、前記脱臭部の位置から前記本体部の端部まで繋がる凹部を有していることを特徴とする小型脱臭器を準備し、
前記凹部を有する前記第１本体部又は前記第２本体部を下にして平坦な場所に置き、
当該小型脱臭器の上に小型扇風機を置いて稼働させて、空気を吸引して脱臭することを特徴とする卓上脱臭方法により、卓上に置きその上に小型扇風機を重ねて置くことで脱臭できる
【産業上の利用可能性】
【００３７】
本発明の小型脱臭器、手振り脱臭方法、及び卓上据置脱臭方法は、手軽に持ち運んで脱臭する分野又は卓上に置いて脱臭する分野に広く用いることができる。
【符号の説明】
【００３８】
１０：脱臭部    １１：第１主面    １２：第２主面    
２０：本体部    
２１：第１本体部    ２２：第２本体部    ２３：外周カバー    
２４：凹部    
２５（２５ａ、２５ｂ、２５ｃ、２５ｄ）：第１本体部側紐係止部    
２６（２６ａ、２６ｂ、２６ｃ、２６ｄ）：第２本体部側紐係止部    
３０：持ち手    
１００：小型脱臭器    
Ｂ：バンド    Ｄ：卓上    Ｆ：小型扇風機    
【要約】
【課題】電源を必要とせず手軽に持ち運んで手で持って振ることで、また卓上に置きその上に小型扇風機を重ねて置くことで脱臭できる小型脱臭器を実現することを課題とする。
【解決手段】手振り及び卓上据置兼用の小型脱臭器であって、第１主面１１及び第２主面１２を有する板状の脱臭部１０と、前記脱臭部の前記第１主面の一部と前記第２主面の一部とを挟み込む本体部２０と、前記本体部から延伸する棒状の持ち手３０と、を備え、前記本体部は、前記第１主面側の第１本体部２１、及び前記第２主面側の第２本体部２２を有し、前記本体部における前記第１本体部側又は前記第２本体部側の少なくともいずれかは、前記脱臭部を挟み込む側とは反対側の面において、前記脱臭部の位置から前記本体部の端部まで繋がる凹部を有していることを特徴とする小型脱臭器１００とした。
【選択図】図１【図１】
0006952317.tif 000002
【図２】
0006952317.tif 000003
【図３】
0006952317.tif 000004
【図４】
0006952317.tif 000005
【図５】
0006952317.tif 000006
【図６】
0006952317.tif 000007
【図７】
0006952317.tif 000008